(57)【特許請求の範囲】
【請求項１】
建物の外壁に取り付けられ、内部に収容室が形成された冷蔵宅配ボックスであって、
前記収容室の複数の側壁のうちの一つの側壁に設けられた排出口および供給口と、
前記収容室の下方に設けられ、冷却された空気を供給可能な冷却装置と、
前記一つの側壁の外面に沿って設けられ、前記収容室内の空気を前記排出口から取り込み、前記空気を前記冷却装置に導くように構成された取込路と、
前記一つの側壁の外面に沿って設けられ、前記冷却された空気を前記供給口に導くように構成された戻し路と、
前記取込路と前記戻し路とを区画する区画部材と
を備えている
ことを特徴とする冷蔵宅配ボックス。
【請求項２】
前記排出口が、上下方向に離れた複数の貫通孔により構成されている
ことを特徴とする請求項１記載の冷蔵宅配ボックス。
【請求項３】
前記供給口が、上下方向に離れた複数の貫通孔により構成されている
ことを特徴とする請求項１または請求項２記載の冷蔵宅配ボックス。
【請求項４】
前記冷蔵宅配ボックスは、
荷物を前記収容室に入れるための荷受用開口と、
前記荷受用開口を開閉可能な荷受用扉と
をさらに備え、
前記戻し路は、前記収容室の側壁のうち前記荷受用扉に対向する側壁に設けられている
ことを特徴とする請求項１〜３のいずれか一項に記載の冷蔵宅配ボックス。
【請求項５】
前記冷蔵宅配ボックスは、
荷物を前記収容室に入れるための荷受用開口と、
前記収容室内に収容された荷物を取り出すための荷出用開口をさらに備え、
前記荷出用開口は、前記荷受用開口に対向する側壁に隣接する側壁に設けられている
ことを特徴とする請求項１〜４のいずれか一項に記載の冷蔵宅配ボックス。
【請求項６】
前記冷蔵宅配ボックスは、
前記外壁に取り付けられる屋外側部材と、
前記屋外側部材の屋内側端部に連結されることで、前記屋外側部材との間に前記収容室を形成する屋内側部材と
を備える
ことを特徴とする請求項１〜５のいずれか一項に記載の冷蔵宅配ボックス。
【請求項７】
建物の外壁に取り付けられ、内部に収容室が形成された宅配ボックスであって、
前記収容室の複数の側壁のうちの一つの側壁に設けられ、前記収容室内の空気を排出する排出口および前記収容室内に空気を供給する供給口と、
前記収容室の下方に設けられ、冷却された空気を供給可能な冷却装置を設置可能な冷却装置設置部と、
前記一つの側壁の外面に沿って設けられ、前記排出口と前記冷却装置設置部とを通じさせる取込路と、
前記一つの側壁の外面に沿って設けられ、前記供給口と前記冷却装置設置部とを通じさせる戻し路と、
前記取込路と前記戻し路とを区画する区画部材と
を備えている
ことを特徴とする宅配ボックス。
【発明の詳細な説明】
【技術分野】
【０００１】
本発明は、冷蔵宅配ボックス、およびこれに用いる宅配ボックスに関し、より詳細には、冷却機能を有する冷蔵宅配ボックス、および冷却機能を導入可能な宅配ボックスに関する。
【背景技術】
【０００２】
特許文献１には、従来の宅配ボックス（宅配物受装置）が開示されている。この従来の宅配ボックスは、玄関の面壁に取り付けられる。この宅配ボックスは、宅配物が収容される受け箱と、この受け箱を覆う蓋とを備えている。
【０００３】
この従来の宅配ボックスは、受け箱の内部および蓋の内面に断熱材が付設されている。これにより、従来の宅配ボックスは、宅配物として冷凍食品が配達された場合に、冷凍食品の温度を、ある程度の時間、低温状態に保つことができる。
【先行技術文献】
【特許文献】
【０００４】
【特許文献１】特開平７−３２７８０９号公報
【発明の概要】
【発明が解決しようとする課題】
【０００５】
しかしながら、この従来の宅配ボックスでは、受け箱および蓋の内面に断熱材が付設されているのみであるため、受け箱の内部を低温状態に保ちにくい。
【０００６】
本発明は、上記事情に鑑みてなされたものであり、その目的とするところは、配達された荷物の温度を低温で保管できるように、収容室の温度を低く保つことができる冷蔵宅配ボックスおよびこれに利用可能な宅配ボックスを提供することにある。
【課題を解決するための手段】
【０００７】
本発明の冷蔵宅配ボックスは、建物の外壁に取り付けられ、内部に収容室が形成された冷蔵宅配ボックスであって、前記収容室の複数の側壁のうちの一つの側壁に設けられた排出口および供給口と、前記収容室の下方に設けられ、冷却された空気を供給可能な冷却装置と、前記一つの側壁の外面に沿って設けられ、前記収容室内の空気を前記排出口から取り込み、前記空気を前記冷却装置に導くように構成された取込路と、前記一つの側壁の外面に沿って設けられ、前記冷却装置から供給された空気を前記供給口に導くように構成された戻し路と、前記取込路と前記戻し路とを区画する区画部材とを備えていることを特徴とする。
【０００８】
本発明の宅配ボックスは、建物の外壁に取り付けられ、内部に収容室が形成された宅配ボックスであって、前記収容室の複数の側壁のうちの一つの側壁に設けられ、前記収容室内の空気を排出する排出口および前記収容室内に空気を供給する供給口と、前記収容室の下方に設けられ、冷却された空気を供給可能な冷却装置を設置可能な冷却装置冷却装置設置部と、前記一つの側壁の外面に沿って設けられ、前記排出口と前記冷却装置設置部とを通じさせる取込路と、前記一つの側壁の外面に沿って設けられ、前記供給口と前記冷却装置設置部とを通じさせる戻し路と、前記取込路と前記戻し路とを区画する区画部材とを備えていることを特徴とする。
【発明の効果】
【０００９】
本発明の冷蔵宅配ボックスによれば、配達された荷物の温度を低温で保管できるように、収容室の温度を低く保つことができる。
【００１０】
本発明の宅配ボックスによれば、冷却装置設置部に冷却装置を設置することで、配達された荷物の温度を低温で保管できるように、収容室の温度を低く保つことができる。
【図面の簡単な説明】
【００１１】
【図１】本発明の一実施形態の冷蔵宅配ボックスの後斜め上方から見た断面斜視図である。
【図２】同上の前斜め上方から見た斜視図である。
【図３】同上の水平断面図である。
【発明を実施するための形態】
【００１２】
以下、本発明の実施形態について添付図面に基づいて説明する。
【００１３】
本実施形態の冷蔵宅配ボックスは、建物の外壁に取り付けられる。冷蔵宅配ボックスは、宅配された荷物（配達物）が屋外から投入され、投入された荷物が屋内から取り出される。また、本実施形態の冷蔵宅配ボックスは、冷却された空気を供給可能な冷却装置としてヒートポンプ装置９が内蔵されており、ヒートポンプ装置９により冷却された空気が、内部の収容室２に供給されるように構成される。これにより、本実施形態の冷蔵宅配ボックスは、収容室２に収容された荷物（配達物）を低温状態に保つことができる。本実施形態の冷蔵宅配ボックスは、図１に示すように、内部に収容室２が形成された宅配ボックス１と、収容室２に冷気を供給するヒートポンプ装置９とを備えている。
【００１４】
宅配ボックス１は、冷蔵宅配ボックスの筐体をなす部分である。宅配ボックス１は、図２に示すように、底板１１と、底板１１の外縁部から立ち上げられた複数の側板１２と、天板１３とで箱状に形成されている。複数の側板１２のうち、前側に位置する側板１２には、荷受用開口１４が形成されている。複数の側板１２のうち、左右方向のいずれかの側板１２（本実施形態では右側の側板１２）には、荷出用開口１６が形成されている。
【００１５】
荷受用開口１４は、矩形状に形成されている。荷受用開口１４は、収容室２につながっている。配達された荷物は、荷受用開口１４を介して、収容室２に収容される。荷受用開口１４には、当該荷受用開口１４を開閉可能な荷受用扉１５が設けられている。
【００１６】
荷出用開口１６は、矩形状に形成されている。荷出用開口１６は、収容室２につながっている。収容室２に収容された荷物は、荷出用開口１６を介して、外部に取り出される。荷出用開口１６には、当該荷出用開口１６を開閉可能な荷出用扉１７が設けられている。
【００１７】
このような宅配ボックス１の内部には、上述の収容室２と、冷却装置設置部２５と、連通部５（図１）とが設けられている。
【００１８】
収容室２は、配達された荷物を収容可能に構成されている。収容室２は、中仕切り板２４により構成された底部２１と、複数の側壁２２と、天面部２３とを備えている。なお、収容室２の内面には断熱材が取り付けられているが、図１，２においては省略している。
【００１９】
中仕切り板２４は、図１に示すように、宅配ボックス１の底板１１に対し、隙間を介して上方に配置されている。底部２１は、中仕切り板２４の一部の領域により構成される。底部２１は、収容室２に荷物が収容された状態において、荷物を支持する。
【００２０】
収容室２を構成する複数の側壁２２は、図２に示すように、底部２１の周囲を囲むように配置される。本実施形態の収容室２は、複数の側壁２２として、左右方向に離れた右壁および左壁と、後方に配置される後壁とを備えている。本実施形態の右壁および左壁は、宅配ボックス１の左右方向の一対の側板１２により構成される。後壁は、宅配ボックス１の後側の側板１２に対し、隙間を介して前方に配置されている。なお、本実施形態の収容室２は、前壁を有しておらず、前壁に相当する箇所に荷受用開口１４が形成されているが、前壁を設け、当該前壁に荷受用開口１４を形成してもよい。
【００２１】
冷却装置設置部２５は、ヒートポンプ装置９を設置するための部分である。冷却装置設置部２５は、宅配ボックス１の複数の側板１２，宅配ボックス１の底板１１，中仕切り板２４で構成される。冷却装置設置部２５は、ヒートポンプ装置９を収容可能なスペースを有している。ヒートポンプ装置９は、この冷却装置設置部２５の内部に収容され、この状態で取り付けられる。
【００２２】
ここで、図１に示すように、収容室２の後側の側壁２２には、排出口３および供給口４が形成されている。排出口３は、上下方向に離れた複数の貫通孔３１（本実施形態では３つ）を備えている。また、供給口４も、上下方向に離れた複数の貫通孔４１（本実施形態では４つ）を備えている。これら各貫通孔３１，４１は、側壁２２を厚み方向に貫通する。供給口４は、収容室２の後壁において上下方向の中央部に配置されている。また、排出口３は、収容室２の後壁の上端部に配置されている。排出口３としての複数の貫通孔３１のうち最も下方の貫通孔３１は、供給口４としての複数の貫通孔４１のうち最も上方の貫通孔４１よりも上方に位置しており、すなわち排出口３は、供給口４よりも上方に配置されている。
【００２３】
中仕切り板２４には、第１の開口２６と第２の開口２７とが、当該中仕切り板２４を貫通するように形成されている。第１の開口２６および第２の開口２７の直下には、ヒートポンプ装置９の蒸発器９１が配置される。
【００２４】
連通部５は、収容室２の後側の側壁２２に沿って配置される。連通部５は、冷却装置設置部２５の内部と、収容室２の内部とを連通する。連通部５は、排出口３と第１の開口２６とを連通する取込路５１と、供給口４と第２の開口２７とを連通する戻し路５２とを備えている。
【００２５】
取込路５１は、連通部５の内部を縦板５３で区画することで形成されている。取込路５１は、収容室２の後側の側壁２２の外面に沿って上下方向に延びている。取込路５１は、収容室２内の空気を排出口３から取り込み、取り込んだ空気を第１の開口２６に導く。
【００２６】
戻し路５２は、取込路５１と同様、連通部５の内部を縦板５３で区画することで形成されおり、取込路５１に隣接している。戻し路５２は収容室２の後側の側壁２２の外面に沿って上下方向に延びている。戻し路５２は、第２の開口２７から流出した空気を供給口４に導く。
【００２７】
このような構成の宅配ボックス１には、上述のように、ヒートポンプ装置９が取り付けられる。ヒートポンプ装置９は、宅配ボックス１の冷却装置設置部２５の内部に取り付けられている。
【００２８】
ヒートポンプ装置９は、コンプレッサ，凝縮器，膨張機構，蒸発器９１を備えた装置であり、冷凍サイクルを実現する。ヒートポンプ装置９は、蒸発器９１により、取込路５１から取り込んだ空気から熱を回収する。熱を回収された空気は、戻し路５２に戻され、供給口４を介して収容室２に供給される。図１に示すように、蒸発器９１は、ケース９２内に収容されている。また、このケース９２内には、気流を形成するためのファン（気流形成装置）が設けられている。
【００２９】
コンプレッサ，凝縮器，膨張機構，蒸発器９１は、配管を介して接続されている。この冷凍サイクルにおいては、熱媒（伝熱媒体）が循環する。ここで、膨張機構は、圧縮した気体を膨張させる機能を有していればよく、膨張弁や、キャピラリーチューブも含むものが挙げられる。また、膨張機構として、キャピラリーチューブと開閉電磁弁とを直列的に接続した構成を用いてもよい。
【００３０】
なお、その他、冷凍サイクルを実現する各構成については、周知の構成を採用しているため、詳細については説明を省略する。
【００３１】
ケース９２の内部は、第１の開口２６および第２の開口２７と連通する。これにより、蒸発器９１は、第１の開口２６から供給された空気と熱交換可能となっている。熱交換された空気は、第２の開口２７に導出される。
【００３２】
ヒートポンプ装置９が作動すると、排出口３から取込路５１に収容室２内の空気を取り込み、取り込んだ空気を第１の開口２６に導入する。すると、導入された空気は、蒸発器９１と熱交換して冷却され、その後、第２の開口２７に導出される。その後、第２の開口２７を通過した空気は、供給口４を介して収容室２内に供給される。これにより、収容室２内には、冷却された空気が供給され、収容室２内の温度を一定以下の温度に保つことができる。
【００３３】
また、本実施形態の戻し路５２は、荷受用扉１５に対向する側壁２２に設けられており、つまり、屋外から最も離れた側壁２２に沿って設けられている。このため、戻し路５２は屋外の熱の影響を受けにくく、つまり、収容室２内に供給される空気の温度が、外気の温度の影響で上昇するのを抑制することができる。
【００３４】
ところで、本実施形態の冷蔵宅配ボックスは、図３に示すように、外壁に取り付けられた状態において、内壁面よりも後方に突出する。このため、内壁の施工をするよりも前に、本実施形態の冷蔵宅配ボックスを設置すると、内壁の施工（壁下地６３の設置や壁クロス６４の貼り付け作業）が行いにくいという問題がある。
【００３５】
これに対し、本実施形態の冷蔵宅配ボックスは、屋外側部材７と、屋内側部材８とを連結することで構成されている。このため、外壁および内壁の施工時に、屋外側部材７を組み込み、外壁および内壁の施工が完了した後に、屋内側部材８を設置することができるように構成される。この結果、外壁および内壁の施工性を向上させることができる。
【００３６】
本実施形態の冷蔵宅配ボックスは、左右方向に離れた一対の間柱６１間に設置される。一対の間柱６１の前方には、外壁材６２が取り付けられる。外壁材６２には、矩形状の開口部６５が形成されており、当該開口部６５に本実施形態の冷蔵宅配ボックスが取り付けられる。また、間柱６１の後面には、壁下地６３が取り付けられる。壁下地６３の後面には、壁クロス６４が取り付けられる。
【００３７】
冷蔵宅配ボックスは、屋外側部材７と、屋内側部材８とが連結されることで構成される。屋外側部材７は、外壁材６２の開口部６５に嵌め込まれるように構成されている。屋外側部材７は、間柱６１に固定するためのフランジ部７１と、フランジ部７１よりも後方に延出した連結部７２とを備えている。
【００３８】
フランジ部７１は、間柱６１の前面に釘などの固定具を介して固定される。フランジ部７１は、間柱６１と外壁材６２との間に配置される。
【００３９】
連結部７２は、後方に延びており、屋内側部材８が連結可能に構成される。連結部７２の後端部は、フランジ部７１が間柱６１に固定された状態で、壁クロス６４の後面（内壁面）よりも前方に位置していることが好ましい。
【００４０】
連結部７２には、屋内側部材８が連結される。屋内側部材８は、前方に開口した箱形状に形成されており、下端部には前述の冷却装置設置部２５が設けられている。このため、冷却装置設置部２５にヒートポンプ装置９が取り付けられた屋内側部材８を、外壁に固定された屋外側部材７の連結部７２に連結するだけで、冷蔵宅配ボックスを容易に組み立てることができる。なお、連結部７２と屋内側部材８との連結は、例えば、ねじやボルトにより行われる。
【００４１】
（効果）
以上説明したように、本実施形態の冷蔵宅配ボックスは、建物の外壁に取り付けられ、内部に収容室２が形成された冷蔵宅配ボックスである。冷蔵宅配ボックスは、収容室２の側壁２２に設けられた排出口３および供給口４と、冷却された空気を供給可能な冷却装置と、取込路５１と、戻し路５２とを備えている。冷却装置は、収容室２の下方に設けられている。取込路５１は、排出口３が設けられた収容室２の側壁２２の外面に沿って設けられ、収容室２内の空気を排出口３から取り込み、空気を冷却装置に導くように構成される。戻し路５２は、供給口４が設けられた収容室２の側壁２２の外面に沿って設けられており、冷却装置から供給された空気を供給口４に導くように構成される。この構成によれば、収容室２に冷却された空気を送り込むことができるため、配達された荷物の温度を低温で保つことができる。また、配達された荷物の温度が低温でなくても、収容室２および荷物の温度を低く保つことができる。
【００４２】
また、本実施形態の冷蔵宅配ボックスは、次の付加的な構成を有する。すなわち、本実施形態の冷蔵宅配ボックスは、排出口３が、上下方向に離れた複数の貫通孔３１により構成される。この構成によれば、排出口３の開口面積を広くしても、側壁２２の強度を保つことができる。
【００４３】
また、本実施形態の冷蔵宅配ボックスは、次の付加的な構成を有する。すなわち、本実施形態の冷蔵宅配ボックスは、供給口４が、上下方向に離れた複数の貫通孔４１により構成される。この構成によれば、供給口４の開口面積を広くしても、側壁２２の強度を保つことができる。
【００４４】
また、本実施形態の冷蔵宅配ボックスは、次の付加的な構成を有する。すなわち、本実施形態の冷蔵宅配ボックスは、荷物を収容室２に入れるための荷受用開口１４と、荷受用開口１４を開閉可能な荷受用扉１５とをさらに備える。戻し路５２は、収容室２の側壁２２のうち荷受用扉１５に対向する側壁２２に設けられている。この構成によれば、戻し路５２を外気から離れた位置に配置することで、戻し路５２が温かい外気の影響で温度上昇するのを防ぐことができ、冷却された空気が温まるのを抑制できる。
【００４５】
また、本実施形態の冷蔵宅配ボックスは、次の付加的な構成を有する。すなわち、本実施形態の冷蔵宅配ボックスは、冷蔵宅配ボックスは、荷物を収容室２に入れるための荷受用開口１４と、収容室２内に収容された荷物を取り出すための荷出用開口１６をさらに備える。荷出用開口１６は、荷受用開口１４に対向する側壁２２に隣接する側壁２２に設けられている。この構成によれば、荷受用開口１４の開口から押し込まれた荷物が、荷出用開口１６の開口から飛び出すのを抑制できる。すなわち、荷出用開口１６の開口が臨む方向と、荷受用開口１４の開口が臨む方向とが前後方向に並ぶと、荷受用開口１４の開口から押し込まれた荷物が、荷出用開口１６の開口から飛び出しやすくなるが、本実施形態によれば、それを抑制できる。また、荷出用開口１６が蹴破られにくくなるため、防犯性能の向上を図ることができる。
【００４６】
また、本実施形態の冷蔵宅配ボックスは、次の付加的な構成を有する。すなわち、本実施形態の冷蔵宅配ボックスは、外壁に取り付けられる屋外側部材７と、屋内側部材８とを備える。屋内側部材８は、屋外側部材７の屋内側端部に連結されることで、屋外側部材７との間に収容室２を形成するように構成される。この構成によれば、外壁および内壁の施工時において、屋外側部材７のみを取り付け、外壁および内壁の施工後に屋内側部材８を連結することができ、外壁および内壁の施工性が損なわれるのを抑制できる。
【００４７】
さらに、本実施形態の屋内側部材８には、冷却装置設置部２５が設けられている。このため、冷却装置設置部２５に冷却装置を設置した状態の屋内側部材８を、屋外側部材７に取り付けることができ、施工が容易である。その上、屋内側部材８として、冷却装置設置部２５を有する屋内側部材８と、冷却装置設置部２５を有さない屋内側部材８とを在庫として用意しておけば、共通の屋外側部材７を使用しつつ、屋内側部材８をユーザーの要望に応じて選択できる。したがって、本実施形態の冷蔵宅配ボックスによれば、在庫管理も容易となる。
【００４８】
また、本実施形態の宅配ボックス１は、建物の外壁に取り付けられ、内部に収容室２が形成された宅配ボックス１である。宅配ボックス１は、排出口３および供給口４と、冷却装置設置部２５と、取込路５１と、戻し路５２とを備えている。排出口３は、収容室２の側壁２２に設けられており、収容室２内の空気を排出する。供給口４は、収容室２の側壁２２に設けられており、収容室２内に空気を供給する。冷却装置設置部２５は、収容室２の下方に設けられ、冷却装置を設置可能に構成される。取込路５１は、収容室２の側壁２２の外面に沿って設けられており、排出口３と冷却装置設置部２５とを通じさせる。戻し路５２は、収容室２の側壁２２の外面に沿って設けられており、供給口４と冷却装置設置部２５とを通じさせる。この構成によれば、冷却装置設置部２５に冷却装置を設置することで、冷蔵宅配ボックスとすることができる。本実施形態の冷蔵宅配ボックスは、配達された荷物の温度を低温で保管できるように、収容室２の温度を低く保つことができる。
【００４９】
また、本実施形態の排出口３は側壁２２の上端部に設けられている。このため、本実施形態の冷蔵宅配ボックスによれば、収容室２内において温かくなって上昇した空気を効率よく排出でき、収容室２内を効果的に冷却することができる。
【００５０】
（応用）
上記実施形態の冷蔵宅配ボックスは、取込路５１および戻し路５２が連通部５を区画することで形成されていたが、これに限定されない。取込路５１および戻し路５２は、例えば、配管により構成されてもよい。また、冷却装置としてヒートポンプ装置９が設けられていたが、ペルチェ方式により冷却するよう構成されてもよい。なお、この場合にも、収容室２に冷気を供給するための気流を形成するファンが設けられることが好ましい。
【００５１】
上記実施形態において、収容室２に供給される冷却された空気の温度は、外気温よりも低ければよく、特に限定されない。また、収容室２に供給される空気の温度は、ユーザーが適宜調整することができるような構成であってもよい。
【００５２】
また、上記実施形態は、ケース９２の内部にファンが設けられていたが、取込路５１および戻し路５２に設けられていてもよい。また、気流を形成することができれば、ファンでなくてもよい。
【符号の説明】
【００５３】
１      宅配ボックス
１４    荷受用開口
１５    荷受用扉
１６    荷出用開口
２      収容室
２２    側壁
２５    冷却装置設置部
３      排出口
３１    貫通孔
４      供給口
４１    貫通孔
５１    取込路
５２    戻し路
７      屋外側部材
８      屋内側部材
９      ヒートポンプ装置（冷却装置）
９１    蒸発器
【図１】
0006751909.tif 000002
【図２】
0006751909.tif 000003
【図３】
0006751909.tif 000004